(57)【要約】【課題】せん断補強鉄筋を不要とすることにより、埋め込み型枠を大型構造物以外の構造物にも適用することができ、施工費用も抑えることができる鉄筋コンクリート部材に関する構造を提供する。【解決手段】コンクリート打設空間を区画する型枠である側部型枠２，２及び底部型枠３と、コンクリート打設空間に配置された軸方向鉄筋４と、コンクリート打設空間に打設されたコンクリート６とからなり、型枠２，３は埋め込み型枠であって、ＰＶＡ繊維などの短繊維を引張り補強材として作られ、せん断補強材として機能するセメント系ボードからなることを特徴とする。【選択図】  図１
2004150059.tif 000002
【特許請求の範囲】
【請求項１】
コンクリート打設空間を区画する型枠と、
前記コンクリート打設空間に配置された軸方向鉄筋と、
前記コンクリート打設空間に打設されたコンクリートとからなり、
前記型枠は埋め込み型枠であって、ＰＶＡ繊維などの短繊維を引張り補強材として作られ、せん断補強材として機能するセメント系ボードからなることを特徴とする埋め込み型枠による鉄筋コンクリート部材。
【請求項２】
前記型枠は、互いに対向する１対の側部型枠と、側部型枠間に固定される底部型枠とからなり、
前記側部型枠の上部間に引張力を伝達するための引張り部材が固定配置されていることを特徴とする請求項１記載の鉄筋コンクリート部材。
【発明の詳細な説明】
【０００１】
【発明の属する技術分野】
この発明は、鉄筋コンクリート部材に関し、さらに詳細には、埋め込み型枠を使用して施工される鉄筋コンクリート部材に関する。
【０００２】
【従来の技術】
一般に、鉄筋コンクリート部材では、軸方向鉄筋とコンクリートのせん断破壊を防止するためのせん断補強鉄筋とが配置されている。せん断補強鉄筋は、軸方向鉄筋と直交して配置されるため、組み立てに要する手順が煩雑になる傾向がある。さらに、せん断補強鉄筋は部材軸と直交しているため、コンクリート打設時にその流動性を阻害する場合があり、ジャンカなどの品質低下を誘発する要因となっている。また、通常の施工では型枠を組み立てた後に鉄筋組立を行い、その後、コンクリートを打設し型枠を解体するという手順を踏んでいるため、解体のための手間を要する。
【０００３】
せん断補強鉄筋の組立の簡略化やコンクリート打設時の流動性を確保する目的で、せん断補強鉄筋を事前に配置したハーフプレキャストと称される埋め込み型枠が開発されている。この型枠は、さらに、埋め込みであるために型枠解体が必要なく、解体時に発生する建設廃材を最小限にできる利点を有している。
【０００４】
しかしながら、このハーフプレキャストタイプの埋め込み型枠は、せん断補強鉄筋の腐食を防止するために型枠の断面厚を大きくしてあることから重量があり、このため型枠組立に大型重機が必要であり大型構造物以外では適用できない場合がある。また、構造物に合わせて型枠の金型を作成する必要があるため、ある程度大きな規模の構造物以外では施工費用が増加する可能性もある。したがって、ハーフプレキャストタイプの埋め込み型枠を適用できる構造物は限定されざるを得なかった。
【０００５】
【発明が解決しようとする課題】
この発明は上記のような技術的背景に基づいてなされたものであって、次の目的を達成するものである。
この発明の目的は、せん断補強鉄筋を不要とすることにより、埋め込み型枠を大型構造物以外の構造物にも適用することができ、施工費用も抑えることができる鉄筋コンクリート部材に関する構造を提供することにある。
【０００６】
【課題を解決するための手段】
この発明の発明者は、上記課題を解決するために、鋭意研究を重ねた結果、ＰＶＡ（ポリビニルアルコール）などの短繊維を引張材として用いることにより、引張り破壊特性に優れたセメント系ボードに着目した。このボードは、引張り強度が高いのみならず、引張り強度に達しても強度を保持した状態で引張りひずみが約２％前後まで増加する特性を有している。その結果、このボードを埋め込み型枠として使用することにより、ボードがせん断補強材としての働きをするため、せん断補強鉄筋を配置する必要がないということを見出した。
【０００７】
この発明は上記のような知見に基いてなされたものであって、次のような手段を採用している。
すなわち、この発明は、コンクリート打設空間を区画する型枠と、
前記コンクリート打設空間に配置された軸方向鉄筋と、
前記コンクリート打設空間に打設されたコンクリートとからなり、
前記型枠は埋め込み型枠であって、ＰＶＡ繊維などの短繊維を引張り補強材として作られ、せん断補強材として機能するセメント系ボードからなることを特徴とする埋め込み型枠による鉄筋コンクリート部材にある。
【０００８】
前記鉄筋コンクリート部材が梁である場合、前記型枠は、互いに対向する１対の側部型枠と、側部型枠間に固定される底部型枠とからなり、前記側部型枠の上部間に引張力を伝達するための引張り部材が固定配置されている。
【０００９】
この発明において、埋め込み型枠として使用するセメント系ボードそれ自体は公知である。このボードとしては、例えば特開２０００−２５２９１６号に開示された型枠を使用することができる。すなわち、同公報に開示されたボードは、「水硬性材料、補強繊維及び水を少なくとも含有する水硬性型枠であって、該補強繊維の少なくとも１部が繊度８〜２７０ｄｔｅｘ、強度４ｃＮ／ｄｔｅｘ以上のポリビニルアルコール系繊維であり、かつ該水硬性ペーストから得られる標準成形体の圧縮強度が４５〜１２０ＭＰａ、標準成形体の曲げ強度が１２ＭＰａ以上であることを特徴とする型枠」である。
【００１０】
このような型枠を埋め込み型枠として使用することにより、型枠がせん断補強材として機能するので、せん断補強鉄筋が不要となる。したがって、大型構造物以外の構造物にも埋め込み型枠を適用することができ、施工費用も安価に抑えることができる。
【００１１】
【発明の実施の形態】
この発明の実施の形態を図面を参照しながら以下に説明する。図１は、この発明の実施形態を示し、部材軸に直交する方向の断面図、図２は図１のＡ−Ａ線断面図である。図示されている鉄筋コンクリート部材１は梁である。
【００１２】
鉄筋コンクリート部材１に適用される型枠は、互いに対向する１対の側部型枠２，２と、側部型枠２，２間に固定される底部型枠３とからなる。側部型枠２，２と底部型枠３とは、型枠組立時において適宜手段により固定することができる。
【００１３】
これらの型枠２，３はいずれもコンクリートの打設後に解体されることのない埋め込み型枠である。そして、これらの埋め込み型枠２，３は、ＰＶＡ繊維などの短繊維を引張り補強材として作られたセメント系ボードである。このセメント系ボードとしては、上述したように、例えば特開２０００−２５２９１６号に開示された型枠を使用することができる。
【００１４】
型枠２，３により形成されたコンクリート打設空間には、従来と同様に複数本の軸方向鉄筋４が配置される。また、側部型枠２，２の上部間には軸方向に所定間隔を置いて複数本の引張り部材５が固定配置される。この引張り部材５は側部型枠２，２間で引張力を伝達するための部材である。この引張り部材５としては、ＰＶＡ繊維やＦＲＰなどによる棒材を使用することができる。型枠２，３により区画された空間にはコンクリート６が打設される。
【００１５】
上記のような鉄筋コンクリート部材１によれば、型枠２，３が引張り補強材を有するセメント系ボードからなり、側部型枠２，２間には引張り部材５が固定配置されている。したがって、鉄筋コンクリート部材１において型枠２，３がせん断補強材として機能するので、せん断補強鉄筋が不要となる。したがって、大型構造物以外の構造物にも埋め込み型枠を適用することができ、施工費用も安価に抑えることができる。
【００１６】
上記実施形態では鉄筋コンクリート部材が梁である場合について説明したが、この発明は柱にも適用できる。この場合、柱部材における軸方向鉄筋の全周（四周）に埋め込み型枠が配置されるので、引張り部材は不要である。
【００１７】
【発明の効果】
以上のように、この発明によれば、埋め込み型枠として、ＰＶＡ繊維などの短繊維を引張り補強材として作られ、せん断補強材として機能するセメント系ボードを使用するので、せん断補強鉄筋が不要となる。したがって、大型構造物以外の構造物にも埋め込み型枠を適用することができ、施工費用も安価に抑えることができる。
【図面の簡単な説明】
【図１】この発明の実施形態を示す部材軸に直交する方向の断面図である。
【図２】図１のＡ−Ａ線断面図である。
【符号の説明】
１：鉄筋コンクリート部材
２：側部型枠
３：底部型枠
４：軸方向鉄筋
５：引張り部材
６：コンクリート
【図１】
2004150059.tif 000003
【図２】
2004150059.tif 000004